(57)【要約】【課題】ケーシング内のハーネスの余剰部分の処理を低コストで行う。【解決手段】本発明の手掛け具３は、空気調和装置の室外機１００のケーシング２に取り付けられる手掛け具３であって、手掛け具本体３１と、手掛け具本体３１の背面側に設けられ、ケーシング２の内部に収容されるハーネスｈの余剰部分を巻き付けるためのハーネス巻付部３２とを有する。【選択図】図４
2009210134.tif 000002
【特許請求の範囲】
【請求項１】
空気調和装置の室外機（１００）のケーシング（２）に取り付けられる手掛け具（３）であって、
手掛け具本体（３１）と、
該手掛け具本体（３１）の背面側に設けられ、前記ケーシング（２）の内部に収容されるハーネス（ｈ）の余剰部分を巻き付けるためのハーネス巻付部（３２）とを有する手掛け具（３）。
【請求項２】
前記ハーネス巻付部（３２）が、前記手掛け具本体（３１）の背面側に複数設けられている請求項１記載の手掛け具（３）。
【請求項３】
前記ハーネス巻付部（３２）の先端には、該ハーネス巻付部（３２）に巻き付けられた前記ハーネス（ｈ）が前記ハーネス巻付部（３２）から解けるのを防止するための解け止め手段（３３）が設けられている請求項１または２記載の手掛け具（３）。
【請求項４】
前記解け止め手段（３３）は、前記ハーネス巻付部（３２）の先端から直角方向に突出する板状を呈した直立部（３３ａ）を有する請求項３記載の手掛け具（３）。
【請求項５】
前記解け止め手段（３３）は、鉤状を呈した鉤部（３３ｂ）を有する請求項３記載の手掛け具（３）。
【請求項６】
前記解け止め手段（３３）は、前記ハーネス巻付部（３２）の側部から突出した保持部（３３ｃ）を有し、該保持部（３３ｃ）には前記ハーネス（ｈ）の余剰部分を保持可能な溝（３３ｃ１、３３ｃ２）が形成されている請求項３記載の手掛け具（３）。
【請求項７】
前記手掛け具本体（３１）および前記ハーネス巻付部（３２）が、合成樹脂により一体に成形されている請求項１〜６のいずれか１項に記載の手掛け具（３）。
【請求項８】
請求項１〜７のいずれか１項に記載の手掛け具（３）がケーシング（２）に取り付けられた空気調和装置の室外機（１００）。
【請求項９】
請求項１〜７のいずれか１項に記載の手掛け具（３）がケーシング（２）に取り付けられた室外機（１００）を用いた空気調和装置。
【発明の詳細な説明】
【技術分野】
【０００１】
本発明は、空気調和装置の室外機に取り付けられる手掛け具、該手掛け具を備えた空気調和装置の室外機および該室外機を用いた空気調和装置に関する。
【背景技術】
【０００２】
従来、風量や温度を調整して、室内を快適な状態に維持するための空気調和装置が知られている。空気調和装置は、主に、屋内に設置される室内機と、屋外に設置される室外機とを備えている。なかでも、室外機は、熱交換器、送風機、圧縮機、減圧機構、各種センサならびにこれらを制御する制御部などがケーシング内に収容されているものである（特許文献１参照）。そして、ケーシング内の各器機と制御部は、何本ものハーネス（導線）によって接続されている。
【０００３】
これらのハーネスは、同じ役割を果たすハーネスであっても、ケーシングのサイズによってその長さが異なる。たとえば、制御部と外気温センサのセンサ部とを接続するハーネスであっても、制御部の位置と外気温センサの取付位置との間を繋ぐために必要な過不足のない長さは、ケーシングのサイズが大きい場合には、ケーシングのサイズが小さい場合よりも長い。
【特許文献１】特開２００７−１０１０２５号公報
【発明の開示】
【発明が解決しようとする課題】
【０００４】
このような、異なるサイズのケーシング間で部品の共通化を図り、管理費などのコストを削減することが試みられている。
【０００５】
しかしながら、ハーネスを異なるサイズのケーシング間で共通化しようとすると、ハーネスの長さを、最も大きなサイズのケーシングに用いられるハーネスの長さに統一しなければならない。この場合には、ケーシングのサイズが小さくなればなる程、ハーネスの余剰部分が長くなり、ケーシング内で絡まり合ったり、メンテナンス時に作業の邪魔になったりしてしまうという問題がある。
【０００６】
この問題を解決するため、結束バンド等の部品を追加して、ハーネスの余剰部分を束ねることが行われている。しかしながら、結束バンド等の部品の追加に伴ってコストが増大し、部品の共通化によるコスト削減の効果が相殺されてしまう。
【０００７】
本発明は、上記従来の問題に鑑みてなされたものであり、ケーシング内のハーネスの余剰部分の処理を低コストで行うことができる手掛け具、該手掛け具を備えた空気調和装置の室外機および該室外機を用いた空気調和装置を提供することを目的としている。
【課題を解決するための手段】
【０００８】
本発明の手掛け具（３）は、空気調和装置の室外機（１００）のケーシング（２）に取り付けられる手掛け具（３）であって、手掛け具本体（３１）と、該手掛け具本体（３１）の背面側に設けられ、前記ケーシング（２）の内部に収容されるハーネス（ｈ）の余剰部分を巻き付けるためのハーネス巻付部（３２）とを有する。
【０００９】
この発明によれば、ハーネス（ｈ）の余剰部分を巻き付けるためのハーネス巻付部（３２）が、手掛け具本体（３１）の背面側に設けられていることにより、この手掛け具（３）を空気調和装置の室外機（１００）のケーシング（２）に取り付けると、室外機（１００）の内部に収容されたハーネス（ｈ）の余剰部分を手掛け具本体（３１）の背面側に巻き付けられるようになる。このため、空気調和装置の室外機（１００）の部品点数を増加させることなく、ケーシング（２）内のハーネス（ｈ）の余剰部分を所定の場所にまとめておくことができる。したがって、ケーシング（２）内のハーネス（ｈ）の余剰部分の処理を低コストで行うことができる。しかも、ケーシング（２）の内側に突出する手掛け具（３）にハーネス巻付部（３２）を設けているので、ハーネス（ｈ）の余剰部分の巻き付け作業を行いやすい。
【００１０】
また、前記ハーネス巻付部（３２）が、前記手掛け具本体（３１）の背面側に複数設けられていることが好ましい。
【００１１】
この発明によれば、ハーネス巻付部（３２）が、手掛け具本体（３１）の背面側に複数設けられていることにより、ハーネス巻付部（３２）に、ハーネス（ｈ）の余剰部分を大量に巻き付けることができる。また、ハーネス（ｈ）を、ハーネス（ｈ）の種類に応じて、異なるハーネス巻付部（３２）に巻き付けることもできる。
【００１２】
また、前記ハーネス巻付部（３２）の先端には、該ハーネス巻付部（３２）に巻き付けられた前記ハーネス（ｈ）が前記ハーネス巻付部（３２）から解けるのを防止するための解け止め手段（３３）が設けられていることが好ましい。
【００１３】
この発明によれば、ハーネス巻付部（３２）の先端に、ハーネス巻付部（３２）に巻き付けられたハーネス（ｈ）が解けるのを防止するための解け止め手段（３３）が設けられていることにより、ハーネス巻付部（３３）に巻き付けられたハーネス（ｈ）をその状態のまま維持できる。
【００１４】
また、前記解け止め手段（３３）は、前記ハーネス巻付部（３２）の先端から直角方向に突出する板状を呈した直立部（３３ａ）を有することが好ましい。
【００１５】
この発明によれば、解け止め手段（３３）が、前記ハーネス巻付部（３２）の先端から直角方向に突出する板状を呈した直立部（３３ａ）を有しているという、簡素な構造でハーネス（ｈ）が解けるのを防止することができる。
【００１６】
また、前記解け止め手段（３３）は、鉤状を呈した鉤部（３３ｂ）を有することが好ましい。
【００１７】
この発明によれば、解け止め手段（３３）が、鉤状を呈した鉤部（３３ｂ）を有していることにより、ハーネス巻付部（３２）へのハーネス（ｈ）の余剰部分の過剰な巻き付けを防ぐことができる。また、解け止め手段（３３）にもハーネス（ｈ）の余剰部分を巻き付けておくことができる。
【００１８】
また、前記解け止め手段（３３）は、前記ハーネス巻付部（３２）の側部から突出した保持部（３３ｃ）を有し、該保持部（３３ｃ）には前記ハーネス（ｈ）の余剰部分を保持可能な溝（３３ｃ１、３３ｃ２）が形成されていることが好ましい。
【００１９】
この発明によれば、ハーネス巻付部（３２）の側部から突出し、ハーネス（ｈ）の余剰部分を保持するための溝（３３ｃ１、３３ｃ２）が形成された保持部（３３ｃ）に、ハーネス（ｈ）の余剰部分を保持させることによって、ハーネス（ｈ）の余剰部分がハーネス巻付部（３２）から解けるのを防止することができる。
【００２０】
また、前記手掛け具本体（３１）および前記ハーネス巻付部（３２）が、合成樹脂により一体に成形されていることが好ましい。
【００２１】
この発明によれば、手掛け具本体（３１）およびハーネス巻付部（３２）が、合成樹脂により一体に成形されているので、手掛け具本体（３１）とハーネス巻付部（３２）とを一括で成形することができる。
【００２２】
本発明の空気調和装置の室外機（１００）は、上記の手掛け具（３）がケーシング（２）に取り付けられている。
【００２３】
この発明によれば、ハーネス（ｈ）の余剰部分を巻き付けるためのハーネス巻付部（３２）が、手掛け具本体（３１）の背面側に設けられた手掛け具（３）をケーシング（２）に取り付けることにより、空気調和装置の室外機（１００）の内部に収容されたハーネス（ｈ）の余剰部分を手掛け具（３）の背面側に巻き付けられるようになる。このため、空気調和装置の室外機（１００）の部品点数を増加させることなく、ケーシング（２）内のハーネス（ｈ）の余剰部分を所定の場所にまとめておくことができる。したがって、ケーシング（２）内のハーネス（ｈ）の余剰部分の処理を低コストで行うことができる。
【００２４】
本発明の空気調和装置は、上記の手掛け具（３）がケーシング（２）に取り付けられた室外機（１００）を用いている。
【発明の効果】
【００２５】
本発明によれば、ケーシング内のハーネスの余剰部分の処理を低コストで行うことができる。
【発明を実施するための最良の形態】
【００２６】
以下で、本発明の手掛け具、空気調和装置の室外機および空気調和装置について、図面を用いて詳細に説明する。
【００２７】
本実施の形態の空気調和装置は、主に、屋内に設置される室内機と、室内機に連結され、屋外に設置される室外機１００とを備えている。室内機と室外機は、環状の管によって連絡され、前記管の内部を、熱媒体である冷媒が循環している。
【００２８】
図１は、空気調和装置の室外機１００の背面側を説明するための斜視図である。室外機１００は、図１に示されるように、熱交換器４、送風機、減圧機構、制御部および圧縮機などを内部に収容するケーシング２と、ケーシング２に取り付けられ、運搬時などに作業者が手を掛ける手掛け具３とを含む。
【００２９】
ケーシング２は、板金製の筐体であり、天板２０と、天板２０の下面側に略垂直に設けられる側板２２と、側板２２の下端側に設けられ、かつ、天板２０に対して略平行に設けられる底フレーム２３とを含む。ケーシング２の側部には、外気をケーシング２の内部に取り込むための吸い込み口２ａと、ケーシング２の内部で熱交換が済んだ空気をケーシング２の外部に吹き出すための吹き出し口（図示しない）とが形成されている。そして、ケーシング２には、吸い込み口２ａを覆うように吸込グリル６が、吹き出し口を覆うように吹出グリル（図示しない）が取り付けられている。また、ケーシング２の内部は、仕切り板２１によって、熱交換器４および送風機などを収容するための熱交換器室Ａと、減圧機構、圧縮機および制御部などを収容するための機械室Ｂとに仕切られている。そして、側板２２のうち、室外機１００の背面側であって、機械室Ｂを覆うように設置される部分には、手掛け具３を取り付けるための開口２ｃ（図４参照）が形成されている。
【００３０】
そして、ケーシング２内の制御部と各器機は、それぞれハーネスｈによって接続されている。各ハーネスｈの長さは、異なるサイズのケーシング間で部品の共通化を図り、管理費などのコストを削減するために、最も大きなサイズのケーシング２に対応できるように統一されている。たとえば、制御部と外気温センサのセンサ部とを接続するハーネスｈでは、その長さを、ケーシング２のサイズが最も大きい場合における、制御部の位置と外気温センサの取付位置との間を繋ぐために必要な過不足のない長さに統一している。本実施の形態では、サイズが最大でないケーシング２を用いた場合を想定しており、ケーシング２の機械室Ｂ内には、ハーネスｈの余剰部分が発生している。
【００３１】
図２は、手掛け具３の前面側を説明するための斜視図である。図３は、手掛け具３の背面側を説明するための斜視図である。図４は、手掛け具３が、ケーシング２に取り付けられた状態を説明するための断面図である。
【００３２】
手掛け具３は、運搬時などに作業者が手をケーシング２の内方へ向けて差し込む部分である手掛け具本体３１と、ケーシング２の内部に収容されるハーネスｈの余剰部分を巻き付けるためのハーネス巻付部３２とを含む。手掛け具本体３１およびハーネス巻付部３２は、合成樹脂により一体に成形されている。
【００３３】
手掛け具本体３１は、図２に示されるように、一方が開放された略椀状を呈し、左右側壁の中間部に、向かい合うように１対の凹みが形成され、その１対の凹みを繋ぐように架設部３１ｃが設けられている。手掛け具本体３１の架設部３１ｃを上縁部とする架設部３１ｃ下側の横長開口は、作業者が手を掛けるための手掛け穴３１ａである。また、架設部３１ｃを下縁部とする手掛け具本体３１の上側の端面３１ｄは、ケーシング本体２２の内面に当接する部分である。また、手掛け穴３１ａの周縁部には、ケーシング本体２２に形成された開口２ｃの周縁部外側表面に当接し、開口２ｃから手掛け具３のケーシング２の内部への脱落を防止するための縁部３１ｂが、手掛け具本体３１に鍔状に形成されている。縁部３１ｂは、ケーシング２の厚さに相当する分だけ、上述の手掛け具本体３１の上側の端面３１ｄより突出した位置に形成されている。さらに、縁部３１ｂの下側部分には、下方へ向けて突出した突出片３１ｂ１が形成されている。この突出片３１ｂ１は、側板２２に形成された開口２ｃを塞ぐために、開口２ｃの形状に応じて設けられたものである。手掛け具３をケーシング本体２２に形成された開口２ｃに嵌め込むと、端面３１ｄと縁部３１ｂとによって開口２ｃの上縁部が挟み込まれる。
【００３４】
ハーネス巻付部３２は、図３に示されるように、手掛け具本体３１の背面側に複数突出して設けられている。具体的には、手掛け具本体３１の背面から、板状の部材が略水平に突出するように設けられている。本実施の形態では、２つのハーネス巻付部３２が、手掛け具本体３１の背面に互いに略平行になるように設けられている。以下では、上段を第１ハーネス巻付部３２ａ、下段を第２ハーネス巻付部３２ｂと呼ぶ。とくに、下段の第２ハーネス巻付部３２ｂは、上段の第１ハーネス巻付部３２ａより手掛け具本体３１の背面からの突出長さが長い。これにより、手掛け具３をケーシング２に取り付けた状態であっても、作業者は、下段側の第２ハーネス巻付部３２ｂの位置を視認しやすく、下段側の第２ハーネス巻付部３２ｂにハーネスｈの余剰部分を巻き付ける作業を行いやすい。
【００３５】
さらに、第１ハーネス巻付部３２ａおよび第２ハーネス巻付部３２ｂの先端には、それぞれ、第１ハーネス巻付部３２ａ、第２ハーネス巻付部３２ｂに巻き付けられたハーネスｈが第１ハーネス巻付部３２ａ、第２ハーネス巻付部３２ｂから解けるのを防止するための解け止め手段３３が設けられている。解け止め手段３３は、第１ハーネス巻付部３２ａまたは第２ハーネス巻付部３２ｂと一体に成形されたものであり、第１ハーネス巻付部３２ａ、第２ハーネス巻付部３２ｂの各先端部に沿って延び、かつ、第１ハーネス巻付部３２ａ、第２ハーネス巻付部３２ｂの各上面に対して略直角に延出した板状の直立部３３ａを有する。
【００３６】
ここで、手掛け具３の取り付け手順について説明する。
【００３７】
まず、作業者は、手掛け具３をケーシング２の側板２２に形成された開口２ｃに嵌め入れる。具体的には、図４に示されるように、手掛け具３は、ケーシング２の背面側に設けられた側板２２に形成されている開口２ｃに、側板２２の外側から挿入され、縁部３１ｂを開口２ｃの周縁部外側表面に当接させた状態で取り付けられる。
【００３８】
つぎに、作業者は、ケーシング２の内側に突出した手掛け具本体３１の背面からさらにケーシング２の内方に突出しているハーネス巻付部３２に対して、機械室Ｂ内のハーネスｈの余剰部分を巻き付ける。このとき、作業者は、ハーネスｈの種類に応じて、ハーネスｈの余剰部分を異なるハーネス巻付部３２に巻き付けてもよい。たとえば、外気温センサのハーネスを第１ハーネス巻付部３２ａに巻き付け、圧力センサのハーネスを第２ハーネス巻付部３２ｂに巻き付ける。
【００３９】
このようにして、ハーネスｈの余剰部分は、手掛け具３の背面側にまとめられた状態で機械室Ｂ内に収められる。
【００４０】
以上の実施の形態によれば、ハーネスｈの余剰部分を巻き付けるためのハーネス巻付部３２が、手掛け具本体３１の背面側に設けられていることにより、この手掛け具３を空気調和装置の室外機１００のケーシング２に取り付けると、室外機１００の内部に収容されたハーネスｈの余剰部分を手掛け具本体３１の背面側に巻き付けられるようになる。このため、空気調和装置の室外機１００の部品点数を増加させることなく、ケーシング２内のハーネスｈの余剰部分を所定の場所にまとめておくことができる。したがって、ケーシング２内のハーネスｈの余剰部分の処理を低コストで行うことができる。しかも、ケーシング２の内側に突出する手掛け具３にハーネス巻付部３２を設けているので、ハーネスｈの余剰部分の巻き付け作業を行いやすい。
【００４１】
また、ハーネス巻付部３２が、手掛け具本体３１の背面側に複数設けられていることにより、ハーネス巻付部３２に、ハーネスｈの余剰部分を大量に巻き付けることができる。また、ハーネスｈを、ハーネスｈの種類に応じて、異なるハーネス巻付部３２に巻き付けることもできる。
【００４２】
また、ハーネス巻付部３２の先端に、ハーネス巻付部３２に巻き付けられたハーネスｈが解けるのを防止するための解け止め手段３３が設けられていることにより、ハーネス巻付部３２に巻き付けられたハーネスｈをその状態のまま維持できる。
【００４３】
また、解け止め手段３３が、ハーネス巻付部３２の先端から直角方向に突出する板状を呈した直立部３３ａを有しているという、簡素な構造でハーネスｈが解けるのを防止することができる。
【００４４】
また、手掛け具本体３１およびハーネス巻付部３２が、合成樹脂により一体に成形されているので、手掛け具本体３１とハーネス巻付部３２とを一括で成形することができる。
【００４５】
なお、上記実施の形態では、ハーネス巻付部３２が、手掛け具本体３１の背面側に略水平に設けられた形態について説明したが、本発明はこれに限定されるものではなく、ハーネス巻付部３２を略垂直に設けてもよいし、ハーネス巻付部３２を斜めに設けてもよい。
【００４６】
また、上記実施の形態では、ハーネスｈの長さを、異なるサイズのケーシング間で統一している形態について説明したが、本発明はこれに限定されるものではない。たとえば、ケーシングのサイズが１種類であっても、ハーネスの長さを、ハーネスの役割によらずに統一したり、所定の長さのハーネスの汎用品を用いる場合にも、本発明を適用することで、ハーネスの余剰部分を手掛け具に巻き付け、余剰部分の処理を低コストで行うことができる。
【００４７】
また、上記実施の形態では、ハーネス巻付部３２の先端に解け止め手段３３が設けられた形態について説明したが、本発明はこれに限定されるものではなく、解け止め手段は省略してもよい。
【００４８】
また、上記実施の形態では、ハーネス巻付部３２を第１ハーネス巻付部３２ａおよび第２ハーネス巻付部３２ｂの２つ設ける形態について説明したが、本発明はこれに限定されるものではなく、ハーネス巻付部３２を１つまたは３つ以上設けてもよい。
【００４９】
また、上記実施の形態では、板状を呈した直立部３３ａのみをハーネス巻付部３２の先端部に設けた形態について説明したが、本発明はこれに限定されるものではない。図５（ａ）、図５（ｂ）、図６（ａ）および図６（ｂ）は、解け止め手段３３の他の例を説明するための図であり、図５（ａ）および図６（ａ）は手掛け具３の背面側の斜視図であり、図５（ｂ）および図６（ｂ）は手掛け具３がケーシング２に取り付けられた状態の断面図である。たとえば、図５（ａ）および図５（ｂ）に示されるように、解け止め手段３３が、鉤状を呈した鉤部３３ｂを有していてもよい。すなわち、この場合の解け止め手段３３は、ハーネス巻付部３２の先端から直角方向に突出した板状の部材に、さらに、その先端から略水平に手掛け具本体３１の背面へ向けて延出した部分が設けられたものである。この場合、解け止め手段３３が、鉤状を呈した鉤部３３ｂを有することにより、第１ハーネス巻付部３２ａおよび第２ハーネス巻付部３２ｂへのハーネスｈの余剰部分の過剰な巻き付けを防ぐことができる。また、鉤部３３ｂにもハーネスｈの余剰部分を巻き付けておくことができる。
【００５０】
また、図６（ａ）および図６（ｂ）に示されるように、解け止め手段３３は、ハーネス巻付部３２の側部および手掛け具本体３１の背面に一体に設けられ、ハーネス巻付部３２の両側部から、下方に延出するように形成された１対の板状の保持部３３ｃを有していてもよい。この保持部３３ｃには、ハーネスｈを保持部３３ｃに引っ掛けて保持するための溝が形成されている。溝は、ハーネスｈを挿通させるための拡幅部３３ｃ２と、ハーネスｈを拡幅部３３ｃ２内へ導く通路となる狭小部３３ｃ１とからなる。狭小部３３ｃ１は、保持部３３ｃの側縁から凹状に形成され、狭小部３３ｃ１の幅より幅広に形成された拡幅部３３ｃ２に連通している。狭小部３３ｃ１は、少なくともハーネスｈが１本通る程度の幅を有すればよい。また、拡幅部３３ｃ２は、ハーネスｈの巻き付け量に応じた幅を確保すればよい。ハーネスｈは、ハーネス巻付部３２と保持部３３ｃに形成された拡幅部３３ｃ２とに亘って巻き付けられる。このような、ハーネス巻付部３２の側部から直角方向に突出し、ハーネスｈの余剰部分を保持するための狭小部３３ｃ１、拡幅部３３ｃ２が形成された保持部３３ｃに、ハーネスｈの余剰部分を保持させることによって、ハーネスｈの余剰部分がハーネス巻付部３２から解けるのを防止することができる。
【図面の簡単な説明】
【００５１】
【図１】空気調和装置の室外機の背面側を説明するための斜視図である。
【図２】実施の形態１の手掛け具の前面側を説明するための斜視図である。
【図３】実施の形態１の手掛け具の背面側を説明するための斜視図である。
【図４】実施の形態１の手掛け具が、ケーシングに取り付けられた状態を説明するための断面図である。
【図５】解け止め手段の他の一例を説明するための図であり、（ａ）は背面側の斜視図であり、（ｂ）はケーシングに取り付けられた状態の断面図である。
【図６】解け止め手段の他の一例を説明するための図であり、（ａ）は背面側の斜視図であり、（ｂ）はケーシングに取り付けられた状態の断面図である。
【符号の説明】
【００５２】
２  ケーシング
３  手掛け具
３１  手掛け具本体
３２  ハーネス巻付部
３３  解け止め手段
３３ａ  直立部
３３ｂ  鉤部
３３ｃ  保持部
３３ｃ１  狭小部（溝）
３３ｃ２  拡幅部（溝）
１００  空気調和装置の室外機
ｈ  ハーネス
【図１】
2009210134.tif 000003
【図２】
2009210134.tif 000004
【図３】
2009210134.tif 000005
【図４】
2009210134.tif 000006
【図５】
2009210134.tif 000007
【図６】
2009210134.tif 000008
【手続補正書】
【提出日】平成21年2月25日(2009.2.25)
【手続補正１】
【補正対象書類名】特許請求の範囲
【補正対象項目名】全文
【補正方法】変更
【補正の内容】
【特許請求の範囲】
【請求項１】
空気調和装置の室外機（１００）のケーシング（２）に取り付けられる手掛け具（３）であって、
手掛け具本体（３１）と、
該手掛け具本体（３１）の背面側に設けられ、前記ケーシング（２）の内部に収容されるハーネス（ｈ）を巻き付けるためのハーネス巻付部（３２）とを有する手掛け具（３）。
【請求項２】
前記ハーネス巻付部（３２）が、前記手掛け具本体（３１）の背面側に複数設けられている請求項１記載の手掛け具（３）。
【請求項３】
前記ハーネス巻付部（３２）の先端には、該ハーネス巻付部（３２）に巻き付けられた前記ハーネス（ｈ）が前記ハーネス巻付部（３２）から解けるのを防止するための解け止め手段（３３）が設けられている請求項１または２記載の手掛け具（３）。
【請求項４】
前記解け止め手段（３３）は、前記ハーネス巻付部（３２）の先端から直角方向に突出する板状を呈した直立部（３３ａ）を有する請求項３記載の手掛け具（３）。
【請求項５】
前記解け止め手段（３３）は、鉤状を呈した鉤部（３３ｂ）を有する請求項３記載の手掛け具（３）。
【請求項６】
前記解け止め手段（３３）は、前記ハーネス巻付部（３２）の側部から突出した保持部（３３ｃ）を有し、該保持部（３３ｃ）には前記ハーネス（ｈ）を保持可能な溝（３３ｃ１、３３ｃ２）が形成されている請求項３記載の手掛け具（３）。
【請求項７】
前記手掛け具本体（３１）および前記ハーネス巻付部（３２）が、合成樹脂により一体に成形されている請求項１〜６のいずれか１項に記載の手掛け具（３）。
【請求項８】
前記ハーネス巻付部（３２）に、前記ハーネス（ｈ）の余剰部分が巻き付けられる請求項１〜７のいずれか１項に記載の手掛け具（３）。
【請求項９】
請求項１〜８のいずれか１項に記載の手掛け具（３）がケーシング（２）に取り付けられた空気調和装置の室外機（１００）。
【請求項１０】
請求項１〜８のいずれか１項に記載の手掛け具（３）がケーシング（２）に取り付けられた室外機（１００）を用いた空気調和装置。
【手続補正２】
【補正対象書類名】明細書
【補正対象項目名】０００３
【補正方法】削除
【補正の内容】
【手続補正３】
【補正対象書類名】明細書
【補正対象項目名】０００４
【補正方法】削除
【補正の内容】
【手続補正４】
【補正対象書類名】明細書
【補正対象項目名】０００５
【補正方法】削除
【補正の内容】
【手続補正５】
【補正対象書類名】明細書
【補正対象項目名】０００６
【補正方法】変更
【補正の内容】
【０００６】
しかしながら、ハーネスは、ケーシング内で絡まり合ったり、メンテナンス時に作業の邪魔になったりしてしまうため、結束バンド等の部品を追加して、ハーネスの余剰部分を束ねることが行われている。しかしながら、結束バンド等の部品の追加に伴ってコストが増大してしまう。
【手続補正６】
【補正対象書類名】明細書
【補正対象項目名】０００７
【補正方法】変更
【補正の内容】
【０００７】
本発明は、上記従来の問題に鑑みてなされたものであり、部品の追加を伴わずに、ケーシング内でハーネスが絡まり合わないように処理できる手掛け具、該手掛け具を備えた空気調和装置の室外機および該室外機を用いた空気調和装置を提供することを目的としている。
【手続補正７】
【補正対象書類名】明細書
【補正対象項目名】０００８
【補正方法】変更
【補正の内容】
【０００８】
本発明の手掛け具（３）は、空気調和装置の室外機（１００）のケーシング（２）に取り付けられる手掛け具（３）であって、手掛け具本体（３１）と、該手掛け具本体（３１）の背面側に設けられ、前記ケーシング（２）の内部に収容されるハーネス（ｈ）を巻き付けるためのハーネス巻付部（３２）とを有する。
【手続補正８】
【補正対象書類名】明細書
【補正対象項目名】０００９
【補正方法】変更
【補正の内容】
【０００９】
この発明によれば、ハーネス（ｈ）を巻き付けるためのハーネス巻付部（３２）が、手掛け具本体（３１）の背面側に設けられていることにより、この手掛け具（３）を空気調和装置の室外機（１００）のケーシング（２）に取り付けると、室外機（１００）の内部に収容されたハーネス（ｈ）を手掛け具本体（３１）の背面側に巻き付けられるようになる。このため、空気調和装置の室外機（１００）の部品点数を増加させることなく、ケーシング（２）内のハーネス（ｈ）を所定の場所にまとめておくことができる。したがって、ケーシング（２）内のハーネス（ｈ）の処理を低コストで行うことができる。しかも、ケーシング（２）の内側に突出する手掛け具（３）にハーネス巻付部（３２）を設けているので、ハーネス（ｈ）の巻き付け作業を行いやすい。
【手続補正９】
【補正対象書類名】明細書
【補正対象項目名】００１１
【補正方法】変更
【補正の内容】
【００１１】
この発明によれば、ハーネス巻付部（３２）が、手掛け具本体（３１）の背面側に複数設けられていることにより、ハーネス巻付部（３２）に、ハーネス（ｈ）を大量に巻き付けることができる。また、ハーネス（ｈ）を、ハーネス（ｈ）の種類に応じて、異なるハーネス巻付部（３２）に巻き付けることもできる。
【手続補正１０】
【補正対象書類名】明細書
【補正対象項目名】００１７
【補正方法】変更
【補正の内容】
【００１７】
この発明によれば、解け止め手段（３３）が、鉤状を呈した鉤部（３３ｂ）を有していることにより、ハーネス巻付部（３２）へのハーネス（ｈ）の過剰な巻き付けを防ぐことができる。また、解け止め手段（３３）にもハーネス（ｈ）を巻き付けておくことができる。
【手続補正１１】
【補正対象書類名】明細書
【補正対象項目名】００１８
【補正方法】変更
【補正の内容】
【００１８】
また、前記解け止め手段（３３）は、前記ハーネス巻付部（３２）の側部から突出した保持部（３３ｃ）を有し、該保持部（３３ｃ）には前記ハーネス（ｈ）を保持可能な溝（３３ｃ１、３３ｃ２）が形成されていることが好ましい。
【手続補正１２】
【補正対象書類名】明細書
【補正対象項目名】００１９
【補正方法】変更
【補正の内容】
【００１９】
この発明によれば、ハーネス巻付部（３２）の側部から突出し、ハーネス（ｈ）を保持するための溝（３３ｃ１、３３ｃ２）が形成された保持部（３３ｃ）に、ハーネス（ｈ）を保持させることによって、ハーネス（ｈ）がハーネス巻付部（３２）から解けるのを防止することができる。
【手続補正１３】
【補正対象書類名】明細書
【補正対象項目名】００２１
【補正方法】変更
【補正の内容】
【００２１】
この発明によれば、手掛け具本体（３１）およびハーネス巻付部（３２）が、合成樹脂により一体に成形されているので、手掛け具本体（３１）とハーネス巻付部（３２）とを一括で成形することができる。
また、前記ハーネス巻付部（３２）に、前記ハーネス（ｈ）の余剰部分が巻き付けられることが好ましい。
ハーネスは、同じ役割を果たすハーネスであっても、ケーシングのサイズによってその長さが異なる。たとえば、制御部と外気温センサのセンサ部とを接続するハーネスであっても、制御部の位置と外気温センサの取付位置との間を繋ぐために必要な過不足のない長さは、ケーシングのサイズが大きい場合には、ケーシングのサイズが小さい場合よりも長い。このような、異なるサイズのケーシング間で部品の共通化を図り、管理費などのコストを削減することが試みられている。しかしながら、ハーネスを異なるサイズのケーシング間で共通化しようとすると、ハーネスの長さを、最も大きなサイズのケーシングに用いられるハーネスの長さに統一しなければならない。この場合には、ケーシングのサイズが小さくなればなる程、ハーネスの余剰部分が長くなり、ケーシング内で絡まり合ったり、メンテナンス時に作業の邪魔になったりしてしまうという問題がある。この問題を解決するため、結束バンド等の部品を追加して、ハーネスの余剰部分を束ねることが行われていた。
この発明によれば、手掛け具に設けられたハーネス巻付部（３２）に、ハーネス（ｈ）の余剰部分が巻き付けられるので、ケーシング内でハーネスが絡まり合ったりするのを防ぐことができるともに、結束バンド等の部品の追加に伴ってコストが増大し、部品の共通化によるコスト削減の効果が相殺されてしまうという問題を回避できる。
【手続補正１４】
【補正対象書類名】明細書
【補正対象項目名】００２３
【補正方法】変更
【補正の内容】
【００２３】
この発明によれば、ハーネス（ｈ）を巻き付けるためのハーネス巻付部（３２）が、手掛け具本体（３１）の背面側に設けられた手掛け具（３）をケーシング（２）に取り付けることにより、空気調和装置の室外機（１００）の内部に収容されたハーネス（ｈ）を手掛け具（３）の背面側に巻き付けられるようになる。このため、空気調和装置の室外機（１００）の部品点数を増加させることなく、ケーシング（２）内のハーネス（ｈ）を所定の場所にまとめておくことができる。したがって、ケーシング（２）内のハーネス（ｈ）の処理を低コストで行うことができる。
【手続補正１５】
【補正対象書類名】明細書
【補正対象項目名】００２５
【補正方法】変更
【補正の内容】
【００２５】
本発明によれば、部品の追加を伴わずに、ケーシング内でハーネスが絡まり合わないように処理できる。